(57)【要約】【課題】浴室洗浄時の上水の使用量を低減でき、また、浴槽の残り湯が汚れている場合でも浴室を清浄にすることが可能な浴室散水装置を提供する。【解決手段】浴室散水装置１は、浴槽４に貯留されている湯水または冷水Ｗ１を、浴室２の内部に設けられたシャワー３から浴室２内に散水して概略洗浄を行い、その後、シャワー３への流路５を流路切換部６で切換えて、給水給湯管７から導引された清浄な湯水または冷水Ｗ２をシャワー３から浴室内に散水して濯ぎを行うことにより、浴室を洗浄するようにした。【選択図】　　図１
2004065852.tif 000002
【特許請求の範囲】
【請求項１】
浴槽に貯留されている湯水または冷水を、浴室の内部に設けられた散水部から浴室内に散水して概略洗浄を行い、
その後、前記散水部への流路を流路切換部で切換えて、給水給湯管から導引された清浄な湯水または冷水を前記散水部から浴室内に散水して濯ぎを行うことにより、前記浴室を洗浄するようにしたことを特徴とする浴室散水装置。
【請求項２】
請求項１に記載の浴室散水装置であって、
前記浴槽に貯留されている前記湯水または前記冷水を、浴槽噴流発生装置用のポンプにより前記散水部に供給可能にしたことを特徴とする浴室散水装置。
【請求項３】
請求項１または２に記載の浴室散水装置であって、
前記浴槽と前記流路切換部との間の前記流路には、この流路に洗剤を供給することが可能な洗剤混合部が接続されていることを特徴とする浴室散水装置。
【請求項４】
請求項１，２または３に記載の浴室散水装置であって、
前記浴槽に貯留された前記湯水を浴室内に散水することにより前記浴室の暖房を行うことを特徴とする浴室散水装置。
【発明の詳細な説明】
【０００１】
【発明の属する技術分野】
本発明は、浴室内に湯水（温水。以下同じ）または冷水を散水して浴室の洗浄や暖房などを行うための浴室散水装置に関する。
【０００２】
【従来の技術】
住宅に設置される浴室のうち、たとえば近年の浴室ユニットは、ユニバーサルデザインを始めとする多用なニーズに応えるため、全体として室内空間を広くし、浴槽自体も大容量とする設計が行われる場合が多い。
このような浴室は、入浴そのものを快適にする反面、当然必要となる浴室の清掃作業には大きな負担を強いることになる。特に、高齢者のみの世帯などにおいては、浴室の清掃が行き届かず、かびや汚れによって不衛生な入浴を強いられる可能性もある。
そこで、従来から浴室内の浴槽や洗い場などに湯水や冷水を散水して自動的に洗浄するための浴室洗浄装置が提案されている（特開２００１−９５７４６号公報参照）。
【０００３】
【発明が解決しようとする課題】
しかしながら、この従来の浴室洗浄装置は、給湯設備や給水設備などから供給される清浄な湯水や冷水を大量に浴室内に散水しなければならないので、浴室洗浄時の上水の使用量が多かった。
他の従来技術として、上水の使用量を低減するために、入浴後の浴槽に残っている残り湯を浴室内に散水して洗浄を行う浴室散水装置も知られている。
この浴室散水装置では残り湯を再利用できる利点はあるが、残り湯が汚れているとこれを浴室内に散水しても浴室を清浄にすることはできない。そのため、残り湯を浴室内に散水した後、清浄な湯水や冷水を散水して濯ぎを行う必要があるので、洗浄作業が面倒で上水の使用量もそれほど節約できなかった。
【０００４】
また、上述の従来の浴室洗浄装置や浴室散水装置は、浴室を暖房する機能を有していないので、冬季の入浴前などに浴室を暖房するには浴室用暖房装置を別途設置する必要があった。
しかしながら、従来の浴室用暖房装置の多くは温風や輻射熱を利用しているので、暖房効率が悪く、浴室全体を暖めるには長時間が必要で、運転費用もかかり、構造が複雑で暖房装置自体も高価であった。
【０００５】
本発明は、このような課題を解決するためになされたもので、浴室洗浄時の上水の使用量を低減でき、また、浴槽の残り湯が汚れている場合でも浴室を清浄にすることが可能な浴室散水装置を提供することを目的とする。
本発明の他の目的は、簡素な構成の浴室散水装置により短時間で浴室全体を効果的に且つ安価に暖房することである。
【０００６】
【課題を解決するための手段】
上述の目的を達成するため、本発明にかかる浴室散水装置は、浴槽に貯留されている湯水または冷水を、浴室の内部に設けられた散水部から浴室内に散水して概略洗浄を行い、その後、前記散水部への流路を流路切換部で切換えて、給水給湯管から導引された清浄な湯水または冷水を前記散水部から浴室内に散水して濯ぎを行うことにより、前記浴室を洗浄するようにした。
前記浴室散水装置において、前記浴槽に貯留されている前記湯水または前記冷水を、浴槽噴流発生装置用のポンプにより前記散水部に供給可能にするのが好ましい。
好ましくは、前記浴槽と前記流路切換部との間の前記流路には、この流路に洗剤を供給することが可能な洗剤混合部が接続されている。
前記浴室散水装置を使用して、前記浴槽に貯留された前記湯水を浴室内に散水することにより前記浴室の暖房を行うのが好ましい。
【０００７】
【発明の実施の形態】
以下、本発明にかかる実施の形態を、図１ないし図７を参照して説明する。
図１は、浴室と浴室散水装置の一例を示す概略構成図、図２および図３は、図１に示す浴室散水装置の洗浄時の動作と暖房時の動作をそれぞれ示すフローチャートである。
図４および図５は、浴室と浴室散水装置の第１の変形例と第２の変形例をそれぞれ示す概略構成図、図６は、図５に示す洗剤混合部を示す断面図、図７は、浴室と浴室散水装置の第３の変形例を示す概略構成図である。
【０００８】
図１ないし図７に示す浴室２には、本発明の浴室散水装置１，１ａ〜１ｃが設けられている。浴室２は、一戸建て住宅，集合住宅，ホテルなどに設置されており、浴室ユニットの場合が多いがユニット化されていなくてもよい。
浴室散水装置１，１ａ〜１ｃは、浴槽４に貯留されている湯水または冷水（この場合は残り湯などであり、以下、湯水等と記載）Ｗ１を、浴室２の内部に設けられた散水部としてのシャワー３から浴室２内に散水して概略洗浄を行い、その後、シャワー３への流路５を流路切換部（たとえば、三方弁）で切換えて、給水給湯管７から導引された清浄な湯水または冷水（以下、湯水等と記載）Ｗ２をシャワー３から浴室２内に散水して濯ぎを行うことにより、浴室２を洗浄するようにしている。
【０００９】
図１ないし図３は、本発明の典型的な一実施形態を示している。
図１に示すように、浴室２の内部には、浴槽４，洗い場１０，シャワー３および換気扇（図示せず）などが設けられ、脱衣所１１が浴室２に隣接して設けられている。
浴室２と脱衣所１１との間には、開閉可能な出入口ドア１２が設けられ、出入口ドア１２を開けて脱衣所１１から浴室２に出入りできるようになっている。浴室散水装置１に指令信号を入力するための信号入力部１３が、出入口ドア１２の近傍に位置して脱衣所１１の壁面に取付けられている。
【００１０】
シャワー３は、入浴時に身体を洗うために浴室２の内部に設けられている。シャワー３はハンドル式シャワーであり、そのシャワーヘッドは、浴室２の側壁面１４に固定された支持部材１５に着脱可能に支持されている。支持部材１５に装着された状態のシャワー３は、散水中も動かないように支持部材１５でしっかりと支持されている。
浴室散水装置１は、入浴時に使用するハンドル式シャワー３を、浴室散水装置１に使用する散水部（シャワー）として兼用しているので、散水部であるシャワー３は、浴槽４に貯留されている湯水等Ｗ１または清浄な湯水等Ｗ２を浴室２内に散水することができる。シャワー３から湯水等Ｗ１，Ｗ２を散水することにより、浴室２内の浴槽４，洗い場１０，側壁面１４および天井１６などが洗浄される。
なお、シャワー３はマッサージに使用されるものでもよい。また、入浴時に使用するハンドル式シャワーとは別個に、浴室散水装置１専用のシャワーを浴室２内の所定位置に固定してもよい。
【００１１】
流路５には、シャワー３に湯水または冷水を送るためのポンプ２０と、流路切換部６とが接続されている。流路切換部６には、浴槽４に貯留されている湯水等Ｗ１を抜き出すために浴槽４に接続された抜き出し管２１と、湯水等をシャワー３に供給するためにシャワー３に接続されたシャワー供給管２２と、図示しない給湯設備や給水設備に接続されて清浄な湯水等Ｗ２が供給される給水給湯管７とが接続されている。ポンプ２０は抜き出し管２１の途中に接続されている。
流路切換部６は、水源から供給されてシャワー３から噴出する湯水等を、浴槽４に貯留されてポンプ２０を介して供給される湯水等Ｗ１にするか、給水給湯管７から供給される清浄な湯水等Ｗ２にするか否かを、流路を切換えることにより可能にしている。すなわち、流路切換部６を制御すれば、給水給湯管７とシャワー供給管２２との連通状態と、抜き出し管２１とシャワー供給管２２との連通状態の、いずれか一方の状態に切換えることができる。
【００１２】
ポンプ２０は、浴槽４から湯水等Ｗ１を抜き出すとともに、この湯水等Ｗ１を所定の水圧（たとえば、約１．１８×１０５Ｐａ（１．２ｋｇｆ／ｃｍ２））以上に昇圧し且つ所定の給水量（たとえば、約１０Ｌ（リットル）／分）以上をシャワー３に供給する機能を有している。
一方、給水給湯管７における清浄な湯水等Ｗ２の給水圧と給水量に関しては、各地方自治体が一般家庭に給水する上水の圧力は約１．４７×１０５Ｐａ（１．５ｋｇｆ／ｃｍ２）以上で、給水量は１栓あたり約１２Ｌ／分以上として設定されているので、濯ぎのための水圧および水量としては実用上十分である。
制御部２３は、信号入力部１３で入力された指令に基づいて信号入力部１３から出力される要求信号により、流路切換部６とポンプ２０に信号を出力して、流路切換部６を切換え動作させ、また、ポンプ２０をオン，オフする制御を行う。
【００１３】
次に、浴室散水装置１の動作について説明する。
浴室散水装置１は、「洗浄モード」または「暖房モード」における各手順を選択可能になっている。「洗浄モード」では、浴槽４内の湯水等Ｗ１を浴室２に散水して浴室２を概略洗浄した後、清浄な湯水等Ｗ２を浴室２内に散水して浴室２の濯ぎを行なうことにより、浴室２の洗浄を行なっている。
「暖房モード」では、浴槽４に貯留された湯水（この場合には、清浄な温水、または入浴可能な程度に比較的清浄な温水）Ｗ１を浴室２内に散水することにより、浴室２の暖房を行う。
浴室散水装置１による浴室２の洗浄時の動作は図２に示す洗浄モードの手順で実行され、浴室２の暖房モードの動作は図３に示す暖房モードの手順で実行される。
これら各手順のプログラムは、制御部２３のメモリに予め記憶されている。制御部２３は、各モードでの動作に必要なプログラムをメモリから呼び出して、浴室散水装置１の洗浄動作と暖房動作をシーケンス制御する。
浴室散水装置１で洗浄動作を開始する場合には、予め出入口ドア１２は閉めておく。浴槽４には、湯水等Ｗ１が入浴後の残り湯となって貯留されており、予めシャワー３が支持部材１５に装着されている。また、シャワーコックを開いてシャワー３に通水可能にし、給水給湯管７で清浄な湯水等Ｗ２を供給可能にしておく。
【００１４】
図１および図２に示すように、洗浄を実行する場合には、信号入力部１３のスイッチを押して洗浄開始の指令を入力する（ステップ１０１）。信号入力部１３は、制御部２３に洗浄開始の要求信号を送る（ステップ１０２）。
制御部２３は、信号入力部１３から出力された要求信号を受け、次いで、流路切換部６においてシャワー３への湯水等の供給源がポンプ２０側になっていることを確認した後、ポンプ２０を起動させる（ステップ１０３）。供給源がポンプ２０側になっていない場合には、流路切換部６をポンプ２０側に切換え動作させる。
浴槽４に貯留されている湯水等Ｗ１は、ポンプ２０を流れてここで所定の水圧以上に昇圧された後、流路切換部６を通りシャワー供給管２２を介してシャワー３に供給される。
これにより、シャワー３から湯水等Ｗ１が浴室２内に勢いよく噴射して拡散放出され、浴槽４，洗い場１０，側壁面１４，天井１６等が概略洗浄される。こうして、湯水等Ｗ１の浴室２への散水は所定時間（たとえば、約３分間）継続される。これにより、浴室２内に付着していた汚れが洗い流される（ステップ１０４）。
次いで、制御部２３がポンプ２０を制御して停止させると（ステップ１０５）、浴槽４内からシャワー３への湯水等Ｗ１の供給が停止する。こうして、浴室２への散水が停止すると概略洗浄が終了する（ステップ１０６）。
【００１５】
次に、制御部２３は流路切換部６を制御して、シャワー３への湯水等の供給源を給水給湯管７側に切換える（ステップ１０７）。流路を流路切換部６で切換えると、給水給湯管７から導引された清浄な湯水等Ｗ２がシャワー３に送られて、シャワー３からこの湯水等Ｗ２を浴室２内に散水して濯ぎが開始される（ステップ１０８）。
この濯ぎが所定時間（たとえば、約３０秒間）継続されると、浴室２内に残っている汚れた湯水等Ｗ１や付着している汚れなどが、清浄な湯水等Ｗ２で濯がれるので、浴室２が清浄になる。
所定時間のあいだ濯ぎが行われた後、制御部２３は、流路切換部６を制御して、シャワー３への湯水等の供給源を給水給湯管７側からポンプ２０側に切換える（ステップ１０９）。
すると、給水給湯管７からシャワー３への清浄な湯水等Ｗ２の供給が停止するので、浴室２への散水が止まって濯ぎが終了する（ステップ１１０）。こうして「洗浄モード」の手順が終了する。
このように、浴槽４内の残り湯（すなわち、湯水等Ｗ１）を使って概略洗浄を行なっているので、濯ぎで使用する清浄な湯水等Ｗ２の使用量は少量で済む。その結果、浴室洗浄時の上水の使用量を低減でき、また、浴槽４の残り湯が汚れている場合でも、浴室２を清浄にすることができる。
【００１６】
次に、「暖房モード」における手順について説明する。
図１および図３に示すように、冬季の入浴前などに浴室散水装置１で浴室２を暖房する場合には、出入り口ドア１２，シャワー３，吸水給湯管７などは前記洗浄開始時とほぼ同じ状態にしておく。また、浴槽４には湯水（この場合は、清浄な温水、または入浴可能な程度に比較的清浄な温水）Ｗ１を、入浴時に必要な量のほかに暖房時に必要な量だけ多めに貯留しておく。
浴室２の暖房を開始する場合、信号入力部１３のスイッチを押して信号入力部１３に暖房開始の指令を入力すると（ステップ２０１）、信号入力部１３は、制御部２３に暖房開始の要求信号を送る（ステップ２０２）。
この要求信号を受けた制御部２３は、流路切換部６において、シャワー３への湯水の供給源がポンプ２０側になっていることを確認した後、ポンプ２０を起動させる（ステップ２０３）。供給源がポンプ２０側になっていない場合には、ポンプ２０側になるように流路切換部６を切換え動作させる。
すると、浴槽４内の湯水Ｗ１が、シャワー３に送られ浴室２内に散水されて、浴室２の暖房が行われる。浴室２の暖房を開始した後、所定時間（たとえば、約３分間）のあいだ湯水Ｗ１が浴室２内に散水されるので、浴室２の全体を暖房することができる（ステップ２０４）。
所定時間経過後、制御部２３はポンプ２０を停止させる（ステップ２０５）。すると、浴槽４内からシャワー３への湯水Ｗ１の供給が停止して浴室２での散水が止まり、浴室２の暖房が終了して入浴が可能になる（ステップ２０６）。
【００１７】
このようにして、冬季の入浴前などに浴室散水装置１で浴槽４内の湯水Ｗ１を浴室２に散水すれば、浴室内の空気および洗い場１０などを暖めることができ、浴室暖房機能が発揮される。
湯水Ｗ１を散水することによる暖房は、湯水Ｗ１と空気との触れ合う面積が大きいので、効率よく且つ短時間での暖房が可能である。また、洗い場１０に関しても、湯水Ｗ１が床の表面を直接暖めるので、効率よく且つ短時間で暖房ができ、運転費用も低減することができる。暖房のための構造が簡素なので、設置費が安価である。
このように、簡素な構成の浴室散水装置１により、短時間で浴室２の全体を効果的に且つ安価に暖房することができる。
【００１８】
次に、浴室散水装置の第１の変形例ないし第３の変形例について説明する。
なお、図１ないし図３に示す実施形態および図４ないし図７に示す各変形例と同一または相当部分には同一符号を付してその説明を省略し、異なる部分のみ説明する。
【００１９】
図４に示す浴室散水装置１ａでは、ポンプ２０がシャワー供給管２２の途中に接続されている。流路切換部６に接続される給水給湯管７の途中には、上流側に流路開閉弁３０が接続され、流路開閉弁３０の下流側で且つ流路切換部６の上流側に貯水部３１が接続されている。流路開閉弁３０は、制御部２３により制御されて給水給湯管７の流路を開閉する。
給水給湯管７の途中に貯水部３１を設けたので、給湯設備で暖められた清浄な湯水Ｗ２を貯水部３１に一旦貯留した後、この貯水部３１に貯留された清浄な湯水Ｗ２をシャワー３から浴室２内に散水して濯ぎを行うことができる。
すなわち、貯水部３１を設けたので、給湯設備の最大給湯能力以上の水量，温度の湯水を、貯水部３１からポンプ２０で吸引してシャワー３に供給することができるので、給湯設備の能力をそれほど大きくする必要がない。
また、流路切換部６やポンプ２０などが万一故障して、汚れた湯水等Ｗ１が給水給湯管７側に流れたとしても、この汚れた湯水等Ｗ１は貯水部３１に貯留されるので上流側に逆流する恐れはない。
【００２０】
貯水部３１に貯留されている清浄な湯水等Ｗ２の水量が減少して、次回の散水に必要なだけの水量が確保されていないという事態の発生を防止するために、貯水部３１に水量検知器（センサー）等を設けて貯水部３１内の清浄な湯水等Ｗ２の水量を常時チェックする手段や、貯水部３１に給水される時間や抜き出される時間から、貯水部３１内に残った湯水等Ｗ２の水量を計算する手段などが設けられている。
これらの手段から出力される信号に基づいて、制御部２３は、貯水部３１に貯留されている湯水等Ｗ２の水量に応じて、流路開閉弁３０を制御して流路を開閉することにより、給水給湯管７から清浄な湯水等Ｗ２を貯水部３１に補給するようにしている。なお、流路開閉弁３０を設けないで、貯水部３１には常に給水給湯管７から清浄な湯水等Ｗ２が供給されるようにしてもよい。
【００２１】
浴室散水装置１ａで浴室２を洗浄する場合には、信号入力部１３のスイッチを押して洗浄開始指令を入力する。信号入力部１３は、制御部２３に洗浄開始の要求信号を送る。
制御部２３は、流路切換部６においてシャワー３への湯水等の供給源が浴槽４の抜き出し管２１側になっていることを確認する。そうでない場合には、制御部２３は、流路切換部６を動作させてポンプ２０の移送元として浴槽４を選ぶ。そして、ポンプ２０を起動させる。
すると、浴槽４内の湯水等Ｗ１が、流路切換部６，ポンプ２０を介してシャワー３に送られ、浴室２に散水される。予め設定した所定時間だけ浴槽４内の湯水等Ｗ１が散水されて概略洗浄が行われると、制御部２３は、流路切換部６を動作させて、ポンプ２０の移送元を浴槽４から貯水部３１に切換える。移送元が貯水部３１に切換えられると、浴槽４内からシャワー３への湯水等Ｗ１の供給が停止して概略洗浄が終了する。
こうして、浴槽４の湯水等Ｗ１の散水が停止した直後に、貯水部３１内の清浄な湯水等Ｗ２が、流路切換部６とポンプ２０を通ってシャワー３から浴室２内に散水されて、浴室２内の濯ぎが行われる。予め設定した所定時間だけ濯ぎが行われた後、制御部２３は、ポンプ２０を停止させて湯水等Ｗ２の散水を停止させる。これにより濯ぎが終了する。
【００２２】
浴室２の暖房を行う場合には、信号入力部１３のスイッチを押して暖房開始の指令を入力する。すると、信号入力部１３は、制御部２３に暖房開始の要求信号を送る。
制御部２３は、流路切換部６において、シャワー３への湯水の供給源が浴槽４側になっていることを確認する。そうでない場合には、制御部２３は、流路切換部６を制御して流路を浴槽４側に切換える。そして、ポンプ２０を起動させる。すると、浴槽４内の湯水（この場合には、清浄な温水、または入浴可能な程度に比較的清浄な温水）Ｗ１がシャワー３に送られて、浴室２内に散水される。これにより暖房が開始する。
所定時間散水することにより浴室２が暖められたら、制御部２３はポンプ２０を停止させる。すると、浴槽４内からシャワー３への湯水Ｗ１の供給が停止して浴室２への散水が止まる。これにより暖房が終了して入浴が可能になる。
この浴室散水装置１ａにおいても、前記浴室散水装置１と同じ作用効果を奏する。
【００２３】
次に、図５および図６に示す浴室散水装置１ｂについて説明する。
この浴室散水装置１ｂは、図４に示す浴室散水装置１ａに、湯水等Ｗ１に洗剤４０を混合させて散水する機能を付加したものである。浴室散水装置１ｂでは、浴槽４と流路切換部６との間の流路（ここでは、抜き出し管２１）に、洗剤混合部４１が接続されている。
洗剤混合部４１は、流路に洗剤４０を供給することが可能になっており、洗剤４０としては市販の液状浴室用洗剤を使用するのが、供給，混合が容易な点で好ましい。洗剤混合部４１を流路に接続した構成以外の構成は、前記浴室散水装置１ａと同じである。
【００２４】
浴槽４内の湯水等Ｗ１で概略洗浄を行う場合には、流路を流れる湯水等Ｗ１に洗剤混合部４１で洗剤４０を供給する。これにより、洗剤４０が湯水等Ｗ１に混合された混合液を生成し、概略洗浄時には、洗剤４０を含む混合液により浴室２内の汚れを効果的に除去することができるようにしている。
洗剤混合部４１において、矢印Ｂ１は浴槽４側を示し、矢印Ｂ２は流路切換部６側を示している。浴槽４の湯水等Ｗ１は、抜き出し管２１内を浴槽４側から流路切換部６側に流れる。
洗剤混合部４１は、液状の洗剤４０を貯留するための容器４２と、容器４２から洗剤供給管４３を介して洗剤４０が流路に供給されるシリンダ部４４とを有している。
シリンダ部４４には、操作部４５が取付けられたピストン４６が嵌合している。シリンダ部４４の内部は、ピストン４６により一方のシリンダ室４７と他方のシリンダ室４８とに仕切られている。
一方のシリンダ室４７には、抜き出し管２１に連通する下流側連通部４９が連通している。他方のシリンダ室４８には、抜き出し管２１に連通する上流側連通部５０が連通している。洗剤供給管４３と下流側連通部４９の各出口部には、逆流防止用の逆止め弁５１，５２がそれぞれ取付けられている。
洗剤混合部４１が取付けられた位置における抜き出し管２１の一部は、絞られて断面積の小さい絞り部２１ａである。絞り部２１ａより上流側に上流側連通部５０が連通し、絞り部２１ａより下流側に下流側連通部４９が連通している。
【００２５】
概略洗浄時に、浴槽４から出て流路を流れる湯水等Ｗ１に洗剤を供給する場合には、操作部４５を図６の左方向に引っ張る。すると、二つの逆止め弁５１，５２の動作により、容器４２内の洗剤４０が洗剤供給管４３を通って一方のシリンダ室４７に流入する。こうして、一回の概略洗浄で必要な量の洗剤４０が一方のシリンダ室４７に溜まった状態で、操作部４５から手を離す。
その後、概略洗浄時に抜き出し管２１内を浴槽４内の湯水等Ｗ１が矢印方向（図６の右方向）に流れると、下流側連通部４９と比較して上流側連通部５０の方に、より大きな水圧がかかるので、両方の連通部４９，５０の間の圧力差により、ピストン４６は図６の右方向にゆっくりと前進する。
その結果、一方のシリンダ室４７内の洗剤４０は、下流側連通部４９を通って抜き出し管２１内に徐々に供給されて湯水等Ｗ１と混合される。このように、洗剤混合部４１は、簡素な構成で且つ簡単な操作で流路に洗剤４１を供給して混合液を生成することができる。
【００２６】
この浴室散水装置１ｂでは、浴槽４内から移送される湯水等Ｗ１は、流路５の途中（抜き出し管２１の途中）の洗剤混合部４１により、一方のシリンダ室４７に予め貯留されている洗剤４０と混合して混合液となって浴室２内に散水される。これにより、予め設定した所定時間の間、湯水等Ｗ１と洗剤４０との混合液が浴室２に散水されて概略洗浄が行われる。
浴室散水装置１ｂにおいて、浴室２の洗浄を行う場合には、概略洗浄終了後に、所定時間の間この状態で放置したのち濯ぎに移行するのが好ましい。こうすることにより、浴室２内に付着していた汚れが、洗剤４０により付着面から浮き上がって除去しやすくなる。
なお、上述の構成以外の構成および手順などは、図４に示す浴室散水装置１ａと同じであり、浴槽４内の比較的清浄な湯水Ｗ１を浴室２内に散水して暖房を行うことも同様に可能である。
【００２７】
次に、図７に示す浴室散水装置１ｃについて説明する。
この浴室散水装置１ｃは、浴槽４内の湯水等Ｗ１を浴室２内に散水して概略洗浄を行うことにより浴室２の汚れを洗い流す場合、浴槽噴流発生装置６０用のポンプ６１で浴槽４内の湯水等Ｗ１をシャワー３に供給可能にしている。
浴槽噴流発生装置６０は、ジェット噴流バスなど循環式浴槽に設けられて気泡発生機能を発揮する。浴槽噴流発生装置６０では、ポンプ６１および循環パイプ等を含む循環配管路６２が浴槽４の外部に設けられている。
浴槽４には、ポンプ６１の吸い込み側の循環配管路６２が接続された吸込口６３と、ポンプ６１の吐出側の循環配管路６２が接続された噴射孔６４とが設けられている。
循環配管路６２には、ポンプ６１の移送先をシャワーと噴射孔６４の二つのうちから選択して切換え可能な移送先選択部６５が接続されている。移送先選択部６５としては、流路切換部６とほぼ同じ構成，機能を有する三方弁などが使用されている。
側壁面１４には、循環式浴槽を操作するための浴室内信号入力部６６が設けられており、入浴中に浴室内信号入力部６６から制御部２３に信号が送られるようになっている。制御部２３は、信号入力部１３または浴室内信号入力部６６から送られた信号に基づいて、流路切換部６，移送先選択部６５およびポンプ６１を制御している。
このように、浴室散水装置１ｃ（図７）では、浴室散水装置１（図１）におけるポンプ２０に代えて浴槽噴流発生装置６０用のポンプ６１を流用している。これにより、浴室散水装置１ｃ用のポンプを別途設ける必要がないので、装置全体の構成が簡略化する。
【００２８】
入浴時に、気泡発生機能を発揮する循環式浴槽として使用したい場合には、浴室内信号入力部６６のスイッチを押して運転開始の指令を入力する。浴室内信号入力部６６は、浴槽４の噴射孔６４への出水要求信号を制御部２３に送る。
制御部２３は、まず移送先選択部６５を動作させて、ポンプ６１の移送先として噴出孔６４を選択する。これにより、ポンプ６１の吐出側が噴出孔６４と連通する。
次いで、制御部２３は、ポンプ６１を起動させて浴槽４内の湯水Ｗ１を加圧し、この湯水Ｗ１を、移送先選択部６５を介して噴射孔６４から吐出させるとともに循環させる。
循環式浴槽としての使用を停止するために浴室内信号入力部６６から止水要求信号が入力された場合、または予め設定された時間が経過すると、制御部２３は、ポンプ６１を停止させて、噴射孔６４から湯水Ｗ１が噴射するのを停止させる。このように浴槽噴流発生装置６０は動作して気泡発生機能を発揮する。
【００２９】
一方、浴室散水装置１ｃにより浴室２を洗浄する場合には、信号入力部１３のスイッチを押して洗浄開始の指令を入力する。すると、信号入力部１３は、制御部２３に洗浄開始の要求信号を送る。
制御部２３は、先ず、移送先選択部６５を動作させて、ポンプ６１の移送先としてシャワー３を選ぶ。次いで、制御部２３は、流路切換部６においてシャワー３への湯水等の供給源が浴槽４側になっていることを確認する。そうなっていない場合には、流路切換部６を動作させて浴槽４側に切換えた後、ポンプ６１を起動させる。
すると、浴槽４内の湯水等Ｗ１が、ポンプ６１，移送先選択部６５，流路切換部６を通ってシャワー３に送られ、浴室２内に散水される。これにより、概略洗浄が開始されて所定時間のあいだ概略洗浄が継続する。浴槽噴流発生装置６０用のポンプ６１を使用しているので、シャワー３から高圧の湯水等Ｗ１が勢いよく噴射して、浴室２内の汚れを有効に除去することができる。
【００３０】
予め設定した所定時間のあいだ浴槽４内の湯水等Ｗ１が浴室２に散水された後、制御部２３はポンプ６１を停止させる。すると、浴槽４内からシャワー３への湯水等Ｗ１の供給が停止し、浴室２への散水が停止して概略洗浄が終了する。
その後、制御部２３は、流路切換部６を制御して、シャワー３への湯水等の供給源を浴槽４側から給水給湯管７側に切換える。すると、給水給湯管７からシャワー３に清浄な湯水等Ｗ２が送られて、浴室２に散水される。これにより、浴室２の濯ぎが開始され、この濯ぎは予め設定した所定時間のあいだ継続される。
所定時間経過後、制御部２３は、流路切換部６を制御して、シャワー３への湯水等の供給源を浴槽４側に切換える。すると、給水給湯管７からシャワー３への清浄な湯水等Ｗ２の供給が停止して、浴室２への散水が停止する。これにより、濯ぎが終了して浴室２が清浄になる。
【００３１】
冬季の入浴前などに浴室２の暖房を行う場合には、信号入力部１３のスイッチを押して暖房開始の指令を入力する。すると、信号入力部１３は、制御部２３に暖房開始の要求信号を送る。
制御部２３は、移送先選択部６５を動作させて、ポンプ６１の移送先としてシャワー３を選ぶ。次いで、制御部２３は、シャワー３への湯水の供給源が浴槽４側になっていることを確認する。そうでない場合には、制御部２３は、流路切換部６を動作させてシャワー３への湯水の供給源として浴槽４を選ぶ。そして、ポンプ６１を起動させる。
浴槽４内の湯水Ｗ１がシャワー３に送られ浴室２に散水されて、暖房が開始される。予め設定した所定時間のあいだ浴槽４内の湯水Ｗ１が浴室２に散水されて、浴室２が暖められる。
所定時間が経過すると制御部２３はポンプ６１を停止させ、浴槽４内からシャワー３への湯水Ｗ１の供給が停止して、浴室２への散水が止まり暖房が終了する。
この浴室散水装置１ｃにおいても、前記浴室散水装置１（図１）と同じ作用効果を奏する。
【００３２】
本発明では、浴室散水装置１，１ａ〜１ｃの主要な構成機器を浴室２の外部に設けている。したがって、洗浄専用の機器や暖房専用の機器を浴室２内に別途設置しなくても、浴室２を自動的に洗浄および暖房することができる。浴室２の内部が浴室散水装置１，１ａ〜１ｃにより狭くなることはなく、入浴する者に圧迫感を与える恐れもない。
浴室散水装置１，１ａ〜１ｃが、浴室２を暖房する機能を有しているので、浴室用暖房装置を別途設ける必要がない。
なお、本発明の浴室散水装置は、前記実施形態および各種変形例における構成を組み合わせた場合であってもよい。
以上、本発明の実施形態（各種変形例を含む）を説明したが、本発明は上述の実施形態に限定されるものではなく、本発明の要旨の範囲で種々の変形，付加などが可能である。
なお、各図中同一符号は同一または相当部分を示す。
【００３３】
【発明の効果】
本発明は上述のように構成したので、浴室洗浄時の上水の使用量を低減でき、また、浴槽の残り湯が汚れている場合でも浴室を清浄にすることができる。
また、本発明は、簡素な構成の浴室散水装置により短時間で浴室全体を効果的に且つ安価に暖房することができる。
【図面の簡単な説明】
【図１】図１ないし図７は本発明の実施形態を示す図で、図１は、浴室と浴室散水装置の一実施形態を示す概略構成図である。
【図２】図１に示す浴室散水装置の洗浄時の動作を示すフローチャートである。
【図３】図１に示す浴室散水装置の暖房時の動作を示すフローチャートである。
【図４】浴室と浴室散水装置の第１の変形例を示す概略構成図である。
【図５】浴室と浴室散水装置の第２の変形例を示す概略構成図である。
【図６】図５に示す洗剤混合部を示す断面図である。
【図７】浴室と浴室散水装置の第３の変形例を示す概略構成図である。
【符号の説明】
１，１ａ〜１ｃ　　浴室散水装置
２　　　浴室
３　　　シャワー（散水部）
４　　　浴槽
５　　　流路
６　　　流路切換部
７　　　給水給湯管
４０　　洗剤
４１　　洗剤混合部
６０　　浴槽噴流発生装置
６１　　ポンプ
Ｗ１　　　湯水または冷水
Ｗ２　　　清浄な湯水または冷水
【図１】
2004065852.tif 000003
【図２】
2004065852.tif 000004
【図３】
2004065852.tif 000005
【図４】
2004065852.tif 000006
【図５】
2004065852.tif 000007
【図６】
2004065852.tif 000008
【図７】
2004065852.tif 000009